(57)【要約】【課題】視聴中の番組に応じてＧＵＩの画面を切替えることが可能なデジタル放送受信機およびデジタル放送表示方法を提供する。【解決手段】デジタル放送受信機のＧＵＩ取得手段が、通信線を介して接続されたＧＵＩ配信サーバから放送番組に応じた番組専用ＧＵＩプログラムの情報を取得し、取得した番組専用ＧＵＩプログラムを記憶するＧＵＩ記憶手段に記憶させ、ＧＵＩ制御手段が、放送番組に応じて番組専用ＧＵＩプログラムによって番組専用ＧＵＩ画面に入れ替えることによって、デジタル放送受信機において視聴中の番組に応じてＧＵＩの画面を自動的に切替える。【選択図】図２
2010239579.tif 000002
【特許請求の範囲】
【請求項１】
通信線を介して接続されたサーバから放送番組に応じたＧＵＩ（Graphical User Interface)プログラムを取得するＧＵＩ取得手段と、
前記ＧＵＩプログラムを記憶するＧＵＩ記憶手段と、
前記放送番組に応じて前記ＧＵＩプログラムに基づいたＧＵＩ画面に入れ替えるＧＵＩ制御手段と
を有することを特徴とするデジタル放送受信機。
【請求項２】
放送番組を送信する放送局の放送波から放送番組に応じたＧＵＩ（Graphical User Interface)プログラムを取得するＧＵＩ取得手段と、
前記ＧＵＩプログラムを記憶するＧＵＩ記憶手段と、
前記放送番組に応じて前記ＧＵＩプログラムに基づいたＧＵＩ画面に入れ替えるＧＵＩ制御手段と
を有することを特徴とするデジタル放送受信機。
【請求項３】
前記ＧＵＩ取得手段は、利用者が前記ＧＵＩプログラムの取得を許可したとき、前記ＧＵＩプログラムを取得することを特徴とする請求項１または請求項２記載のデジタル放送受信機。
【請求項４】
前記ＧＵＩ制御手段は、利用者が他の放送番組を視聴したとき、前記ＧＵＩプログラムに基づいたＧＵＩ画面を入れ替える前の元のＧＵＩ画面に戻すことを特徴とする請求項１または請求項２記載のデジタル放送受信機。
【請求項５】
前記ＧＵＩ制御手段は、利用者が前記ＧＵＩプログラムに基づいたＧＵＩ画面に入れ替えることを許可したとき、前記ＧＵＩプログラムに基づいたＧＵＩ画面に入れ替えることを特徴とする請求項１または請求項２記載のデジタル放送受信機。
【請求項６】
前記ＧＵＩ制御手段は、前記放送番組が終了した後に利用者が前記ＧＵＩプログラムに基づいた前記ＧＵＩ画面を使い続けることを許可したならば、ＧＵＩ画面を入れ替える前の元のＧＵＩ画面に戻さないことを特徴とする請求項１または請求項２記載のデジタル放送受信機。
【請求項７】
通信線を介して接続されたサーバから放送番組のＧＵＩ（Graphical User Interface)プログラムを取得するＧＵＩ取得手段と、
複数の前記ＧＵＩプログラムを記憶するＧＵＩ記憶手段と、
利用者が視聴中の放送番組に対して、複数の前記ＧＵＩプログラムの中から前記利用者によって選択された前記ＧＵＩプログラムに基づいたＧＵＩ画面に入れ替えるＧＵＩ制御手段と
を有することを特徴とするデジタル放送受信機。
【請求項８】
通信線を介して接続されたサーバまたは放送番組を送信する放送局の放送波から放送番組に応じたＧＵＩ（Graphical User Interface)プログラムを取得するＧＵＩ取得ステップと、
前記ＧＵＩプログラムを記憶するＧＵＩ記憶ステップと、
前記放送番組に応じて前記ＧＵＩプログラムに基づいたＧＵＩ画面に入れ替えるＧＵＩ制御ステップと
を有することを特徴とするデジタル放送表示方法。
【請求項９】
通信線を介して接続されたサーバまたは放送番組を送信する放送局の放送波から放送番組のＧＵＩ（Graphical User Interface)プログラムを取得するＧＵＩ取得ステップと、
複数の前記ＧＵＩプログラムを記憶するＧＵＩ記憶ステップと、
利用者が視聴中の放送番組に対して、複数の前記ＧＵＩプログラムの中から前記利用者によって選択された前記ＧＵＩプログラムに基づいたＧＵＩ画面に入れ替えるＧＵＩ制御ステップと
を有することを特徴とするデジタル放送表示方法。
【発明の詳細な説明】
【技術分野】
【０００１】
本発明は、ユーザインターフェース画面の変更を可能とするデジタル放送受信機およびデジタル放送表示方法に関する。
【背景技術】
【０００２】
近年、デジタル放送受信機などの情報表示装置においては、表示デバイスの性能（解像度など）が飛躍的に向上し、また、大画面化されるようになった。また、デジタル放送受信機には、放送番組を受像する機能のみならず、多くの機能が搭載されるようになってきており、通信機能を備え、インターネットなどの通信網を介してさまざまな情報を取得することができるようになっている。
【０００３】
デジタル放送受信機の大型化、多機能化や多チャンネル化が進むにつれ、ＧＵＩ（Graphical User Interface)を使用したメニュー操作が増えてきた。例えば、番組表や録画済みコンテンツのメニューを画面上に表示し、利用者はその画面を見ながら、リモコンのボタンを押してメニューを操作する。利用者は、ＧＵＩをリモコンで操作する際に、リモコンの十字キー（左右上下ボタン）を押して画面上を移動し決定ボタンを押すという動作を行う。または特定の動作が実行されるようなカスタマイズされたボタンを押すという動作を行うことによって所望の操作を行うことができる。
【０００４】
ＧＵＩの画面は其々のデジタル放送受信機によって異なっており、利用者の使い勝手を良くする工夫が種々考案されている。また複数のＧＵＩの画面を用意しその中から利用者の好みに応じたＧＵＩを用いることも考えられている。
【０００５】
例えば、情報記録媒体が、再生装置とサーバとの認証に使用する固有情報と、再生装置がＧＵＩを作成するための複数のアプリケーションプログラムを含むコンテンツ閲覧用プログラムとを格納しており、そのコンテンツ閲覧用プログラムが、ネットワーク上のサーバにアクセスするステップと、固有情報を含む認証情報をサーバに送信するステップと、サーバからコンテンツをダウンロードするステップと、ＧＵＩを作成する複数のアプリケーションプログラムの中から選択されたアプリケーションプログラムを使用して、ダウンロードしたコンテンツのＧＵＩを作成するステップとを実行させることによって、コンテンツをダウンロードし、利用者の好みに応じたＧＵＩを用いてコンテンツを閲覧する方法が提案されている。（例えば特許文献１参照。）
【先行技術文献】
【特許文献】
【０００６】
【特許文献１】特開２００７−３０５２７７号公報
【発明の概要】
【発明が解決しようとする課題】
【０００７】
特許文献１においては、ＨＤ ＤＶＤ−Ｖｉｄｅｏ規格の情報記録媒体にＧＵＩを作成するための複数のアプリケーションプログラムが含まれており、情報記録媒体内のデータを利用することによって外部からコンテンツをダウンロードし、それを再生する際に、複数のＧＵＩの中から好みをＧＵＩを使って再生できるようになっている。
【０００８】
一般の放送番組においては、デジタル放送受信機が備えているＧＵＩを使って放送番組が再生されており、放送番組に応じてＧＵＩの画面を変更することができない。しかしながら、例えば、放送局が放送番組に応じたＧＵＩを配信し、そのＧＵＩの画面を使用して番組を視聴することができれば、もっと魅力的な番組とする可能性がある。また双方向機能を更に有効に利用した番組とすることができる可能性がある。放送番組においても、放送番組に応じてＧＵＩを切替え可能とすることが求められている。
【０００９】
本発明は上記したような事情に鑑み成されたものであって、視聴中の番組に応じてＧＵＩの画面を切替えることが可能なデジタル放送受信機およびデジタル放送表示方法を提供することを目的とする。
【課題を解決するための手段】
【００１０】
上記目的を達成するために、本発明のデジタル放送受信機は、通信線を介して接続されたサーバから放送番組に応じたＧＵＩ（Graphical User Interface)プログラムを取得するＧＵＩ取得手段と、前記ＧＵＩプログラムを記憶するＧＵＩ記憶手段と、前記放送番組に応じて前記ＧＵＩプログラムに基づいたＧＵＩ画面に入れ替えるＧＵＩ制御手段とを有することを特徴とする。
【００１１】
また、本発明のデジタル放送表示方法は、通信線を介して接続されたサーバまたは放送番組を送信する放送局の放送波から放送番組に応じたＧＵＩ（Graphical User Interface)プログラムを取得するＧＵＩ取得ステップと、前記ＧＵＩプログラムを記憶するＧＵＩ記憶ステップと、前記放送番組に応じて前記ＧＵＩプログラムに基づいたＧＵＩ画面に入れ替えるＧＵＩ制御ステップとを有することを特徴とする。
【発明の効果】
【００１２】
本発明によれば、デジタル放送受信機において視聴中の番組に応じてＧＵＩの画面を切替えることができる。
【図面の簡単な説明】
【００１３】
【図１】本発明によるデジタル放送受信機を含むシステム全体の概要を示すブロック図。
【図２】デジタル放送受信機の実施例の構成を示すブロック図。
【図３】デジタル放送受信機とＧＵＩ配信サーバの動作の例を示すフローチャート。
【図４】表示装置の画面に表示されたポップアップ表示の例を示す図。
【図５】番組専用ＧＵＩプログラムを視聴中の番組に合わせて適用する動作を示したフローチャート。
【図６】デジタル放送受信機がデフォルトで備えているＧＵＩ画面の例を示す図。
【図７】番組専用ＧＵＩプログラムによる番組専用ＧＵＩ画面の例を示す図。
【図８】第２の実施例に係る番組専用ＧＵＩプログラムを視聴中の番組に合わせて適用する動作を示したフローチャート。
【図９】表示装置の画面に表示されたポップアップ表示の例を示す図。
【図１０】第３の実施例に係る番組専用ＧＵＩプログラムを視聴中の番組に合わせて適用する動作を示したフローチャート。
【図１１】表示装置の画面に表示されたポップアップ表示の例を示す図。
【図１２】表示装置の画面に表示されたポップアップ表示の例を示す図。
【図１３】第４の実施例に係る既存ＧＵＩプログラムを視聴中の番組に適用する動作を示したフローチャート。
【図１４】表示装置の画面に表示された既存ＧＵＩリストのポップアップ表示の例を示す図。
【発明を実施するための形態】
【００１４】
以下本発明の実施例について図面を参照しながら説明する。
【実施例１】
【００１５】
図１は、本発明によるデジタル放送受信機１を含むシステム全体の概要を示すブロック図である。デジタル放送受信機１は、放送局２０から放送されるデジタル放送を受信する機能を有し、また送受信部を介してインターネット２１に接続され、ネットワーク上にあるＧＵＩ配信サーバ２２から情報を受信する機能を有する。ＧＵＩ配信サーバ２２は、放送局２０に管理されており、放送局２０から放送される番組に応じた番組専用のＧＵＩ情報の番組専用ＧＵＩプログラム２３を配信する。
【００１６】
尚、放送局２０は、番組専用ＧＵＩプログラム２３をＧＵＩ配信サーバ２２を使用せずに、例えば、データ放送の仕組みを利用した放送波によっても送信することもできる。その際、デジタル放送受信機１は、放送波によって番組専用ＧＵＩプログラムを取得することが可能である。
【００１７】
図２は、本発明によるデジタル放送受信機１の実施例の構成を示すブロック図である。アンテナ２は、放送局２０から送信された放送電波を受信するための地上デジタル放送あるいは衛星デジタル放送用のアンテナである。チューナ３は、地上デジタル放送あるいは衛星デジタル放送の放送信号の中から所望のチャンネルの放送信号を選局する。復調器４は、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、デジタルの映像信号及び音声信号に復調され、信号処理部５に出力される。
【００１８】
信号処理部５は、復調器４から供給されたデジタルの映像信号及び音声信号を選択的に所定のデジタル信号処理を施して、映像処理部６および音声処理部７へ出力する。信号処理部５は、ＭＰＥＧ（Moving Picture Experts Group）エンコーダ、ＭＰＥＧデコーダ、映像音声デコーダ等の機能を有する。
【００１９】
映像処理部６は、信号処理部５から入力されたデジタルの映像データを、表示装置８で表示可能なフォーマットに変換したり、表示色を任意に調整したりして、表示装置８に出力して映像を表示させる。音声処理部７は、信号処理部５から入力されたデジタルの音声データを、スピーカ９で再生可能なアナログ音声信号に変換した後、スピーカ９に出力して音声を再生させる。
【００２０】
デジタル放送受信機１は、上記した受信動作を含むその全ての動作をＣＰＵ（Central Processing Unit）１１によって統括的に制御されている。復調器４、信号処理部５、映像処理部６、音声処理部７は、データバス１０を介してＣＰＵ１１に接続されている。
【００２１】
ＲＡＭ（Random Access Memory）１２は、ＣＰＵ１１のデータ処理に必要な各種データを格納するリード／ライトメモリであり、映像データ等を格納するバッファメモリとして動作する。ＲＯＭ（Read Only Memory）１３は読出し専用メモリであり、ＣＰＵ１１が実行する制御のプログラムなどを格納している。
【００２２】
フラッシュメモリ１４は、書き換え可能であり、電源を切ってもデータが消えない不揮発性の半導体メモリである。フラッシュメモリ１４は、デジタル放送受信機１が、インターネット上のサーバ或いはデジタル放送から取得した番組専用ＧＵＩプログラム２３を記憶するＧＵＩ記憶手段１４ａの機能を有する。
【００２３】
操作受信部１５は、操作部１６から送信される操作信号を受信し、ＣＰＵ１１に転送する。操作部１６は、例えば、赤外線による無線通信を利用したリモコン、有線式あるいは無線式マウス、キーボード等であり、操作信号を送出する。操作受信部１５は、そのリモコン、マウス、キーボード等から操作信号を受信する。
【００２４】
デジタル放送受信機１は、送受信部１７を介してインターネット２１に接続されている。これにより、デジタル放送受信機１は、ネットワーク上にあるＧＵＩ配信サーバ２２等の機器と送受信部１７を介して情報伝送を行なうことができる。
【００２５】
ＣＰＵ１１は、ＧＵＩ取得手段１１ａとＧＵＩ制御手段１１ｂの機能を有する。ＧＵＩ取得手段１１ａは、インターネット上のＧＵＩ配信サーバ２２と通信し、ＧＵＩ配信サーバ２２から番組専用ＧＵＩプログラム２３を取得し、取得した番組専用ＧＵＩプログラム２３をＧＵＩ記憶手段１４ａに記憶させる。番組専用ＧＵＩプログラム２３の取得についてはその可否を利用者が選択できる。また、ＧＵＩ取得手段１１ａは、デジタル放送波の中に番組専用ＧＵＩプログラムが含まれていることを検出した場合には、放送波から番組専用ＧＵＩプログラムを取得する。
【００２６】
ＧＵＩ制御手段１１ｂは、記憶された番組専用ＧＵＩプログラム２３をＧＵＩ記憶手段１４ａから取り出して使用する機能を有する。ＧＵＩ制御手段１１ｂは、番組専用ＧＵＩプログラム２３内の制御ファイルからパラメータを取得して解析し、放送番組の時間、チャネルに合わせてＧＵＩのプログラムを入れ替える。パラメータとは、ＧＵＩの入れ替えを行う時刻、ＧＵＩを元に戻す時刻、チャネル等のことである。
【００２７】
図３は、デジタル放送受信機１とＧＵＩ配信サーバ２２の動作の例を示すフローチャートである。デジタル放送受信機１がＧＵＩ配信サーバ２２から番組専用ＧＵＩプログラム２３を取得する動作を示すものである。Ｓ１０において、ＧＵＩ配信サーバ２２は、所定の番組の開始時刻前に番組専用ＧＵＩプログラム２３を送信することを通知する。例えば、所定の番組が開始される３０分前に、インターネット２１上に接続されたデジタル放送受信機１に通知する。
【００２８】
Ｓ１１において、デジタル放送受信機１のＧＵＩ取得手段１１ａは、送受信部１７を介して、所定の番組の開始時刻前に番組専用ＧＵＩプログラム２３を送信することを受信する。Ｓ１２において、ＧＵＩ取得手段１１ａは、利用者が番組専用ＧＵＩプログラム２３の受信を許可したか確認する。ＧＵＩ取得手段１１ａは、表示装置８の画面にポップアップ表示して利用者に可否を選択させる。
【００２９】
図４は、表示装置８の画面８ａに表示されたポップアップ表示の例を示す図である。この例では、放送番組名「お茶の間テレビオークション」が開始される３０分前に表示装置８の画面８ａの左下隅に番組専用ＧＵＩプログラム２３の受信可否のポップアップ画面３０が表示される。利用者はリモコンの十字キーなどを操作して、「受信する」「受信しない」「キャンセル」の中から選択し、リモコンの決定ボタンを押下する。「受信する」は許可であり、「受信しない」は不許可である。「キャンセル」を選択した場合には、所定時間後、例えば、５分後に再通知される。
【００３０】
図３のＳ１３において、ＧＵＩ取得手段１１ａは、利用者が許可した場合には、番組ＧＵＩプログラム２３の送信を許可することをＧＵＩ配信サーバ２２に通知する。利用者が許可しない場合には、送信を許可しないことをＧＵＩ配信サーバ２２に通知する。Ｓ１４において、ＧＵＩ配信サーバ２２は、デジタル放送受信機１から番組ＧＵＩプログラム２３の送信の許可または不許可の通知を受信する。
【００３１】
Ｓ１５において、ＧＵＩ配信サーバ２２は、番組専用ＧＵＩプログラム２３の送信許可の通知を受信したならば、デジタル放送受信機１に番組専用ＧＵＩプログラム２３を送信する。Ｓ１６において、ＧＵＩ取得手段１１ａは、ＧＵＩ配信サーバ２２から送信された番組専用ＧＵＩプログラム２３を送受信部１７を介して受信する。Ｓ１７において、ＧＵＩ取得手段１１ａは、番組専用ＧＵＩプログラム２３をＧＵＩ記憶手段１４ａに記憶させる。以上のようにして、デジタル放送受信機１は、ＧＵＩ配信サーバ２２から番組専用ＧＵＩプログラム２３を取得し、ＧＵＩ記憶手段１４ａに記憶する。
【００３２】
図５は、ＧＵＩ記憶手段１４ａに記憶された番組専用ＧＵＩプログラム２３を視聴中の番組に合わせて適用する動作を示したフローチャートである。Ｓ２０において、ＧＵＩ制御手段１１ｂは、ＧＵＩ記憶手段１４ａに記憶された番組専用ＧＵＩプログラム２３の中の制御ファイルを参照し、ＧＵＩ画面の入れ替えを行う時刻（開始時刻）、入れ替えたＧＵＩ画面を元に戻す時刻（終了時刻）、対照チャネルを確認する。番組専用ＧＵＩプログラム２３内には動作制御用のパラメータを含む動作制御ファイルが備えられており、番組専用ＧＵＩ画面の開始時刻、終了時刻、対象チャネルを指定する。
【００３３】
Ｓ２１において、ＧＵＩ制御手段１１ｂは、指定時間帯に指定チャネルが視聴されているか判定する。指定時間帯に指定チャネルが視聴されていれば、Ｓ２２に移る。視聴されていなければ、終了する。Ｓ２２において、ＧＵＩ制御手段１１ｂは、番組専用ＧＵＩプログラム２３によってデジタル放送受信機１のＧＵＩ画面を番組専用ＧＵＩ画面に入れ替える。
【００３４】
図６は、デジタル放送受信機１がデフォルトで備えているＧＵＩ画面の例を示す図である。利用者が、例えば、リモコンの画面表示ボタン（図示せず）を押下すると、視聴している番組のチャネル番号や番組名を表示画面８ａの右上隅にポップアップ画面３１を表示する。利用者は視聴している番組のチャネル番号や番組名を確認することができる。
【００３５】
図７は、視聴している番組の番組専用ＧＵＩプログラム２３による番組専用ＧＵＩ画面の例を示す図である。利用者が、例えば、リモコンの画面表示ボタン（図示せず）を押下すると、表示画面８ａの下端にポップアップ画面３２を表示する。視聴している番組のチャネル番号や番組名以外に、画面の拡大表示、縮小表示、静止画表示、静止画拡大表示、元に戻すためのボタンが表示される。利用者は番組専用ＧＵＩプログラム２３によって追加されたＧＵＩ画面を使って放送番組を楽しむことができる。デジタル放送受信機１がデフォルトで備えているＧＵＩ画面とは異なり、リモコンの同じボタンを操作しても別のメニューや機能のボタンを表示したり、表示画面８ａ内での表示位置を変更することによって、番組の特徴を演出することが可能となる。
【００３６】
図５のＳ２３において、ＧＵＩ制御手段１１ｂは、利用者が他のチャネルを選択したかを判定する。利用者が他のチャネルを選択したならば、Ｓ２４へ移って、ＧＵＩ画面を番組専用ＧＵＩ画面に入れ替える前のＧＵＩ画面に戻して終了する。利用者が他のチャネルを選択しないならば、Ｓ２５へ移って、ＧＵＩ制御手段１１ｂは、指定時間が過ぎたかを判定する。指定時間が過ぎたならば、すなわち該当する放送番組の放送時間が終了したならば、Ｓ２４へ移って、ＧＵＩ画面を番組専用ＧＵＩ画面に入れ替える前の元のＧＵＩ画面に戻して終了する。指定時間が未だ過ぎていないならば、Ｓ２３へ移る。
【００３７】
以上のように、デジタル放送受信機１のＧＵＩ取得手段１１ａが、通信線を介して接続されたＧＵＩ配信サーバ２２から放送番組に応じた番組専用ＧＵＩプログラム２３の情報を取得し、取得した番組専用ＧＵＩプログラム２３を記憶するＧＵＩ記憶手段１４ａに記憶させ、ＧＵＩ制御手段１１ｂが、放送番組に応じて番組専用ＧＵＩプログラム２３によって番組専用ＧＵＩ画面に入れ替えることによって、デジタル放送受信機１において視聴中の番組に応じてＧＵＩの画面を自動的に切替えることができる。
【実施例２】
【００３８】
図８は、第２の実施例に係る番組専用ＧＵＩプログラム２３を視聴中の番組に合わせて適用する動作を示したフローチャートである。この実施例２のデジタル放送受信機の構成は図２に示す構成例と同様である。この実施例２が実施例１と異なる点は、実施例１の図５に示すフローチャートのＳ２０の前にＳ３０のステップを追加したことにある。
【００３９】
Ｓ３０において、ＧＵＩ制御手段１１ｂは、最初に利用者が番組専用ＧＵＩ画面への変更を許可したかを判定する。利用者が、デジタル放送受信機１がデフォルトで備えているＧＵＩ画面や他のＧＵＩ画面を使用したい場合には、該当番組の番組専用ＧＵＩ画面を使用しない。
【００４０】
図９は、表示装置８の画面８ａに表示されたポップアップ表示の例を示す図である。この例では、表示装置８の画面８ａの左下隅に、放送番組名「お茶の間テレビオークション」について番組専用ＧＵＩ画面へ変更するかを選択するためのポップアップ画面３３が表示される。利用者はリモコンの十字キーなどを操作して、「する」「しない」の中から選択し、リモコンの決定ボタンを押下する。「する」は許可であり、「しない」は不許可である。
【００４１】
Ｓ３０において、利用者が番組専用ＧＵＩ画面への変更を許可したならば、Ｓ２０へ移る。変更を許可しないならば、終了する。Ｓ２０以後の手順については実施例１と同様であるのでここでは省略する。
【００４２】
実施例２においては、デジタル放送受信機１のＧＵＩ取得手段１１ａが、通信線を介して接続されたＧＵＩ配信サーバ２２から放送番組に応じた番組専用ＧＵＩプログラム２３の情報を取得し、取得した番組専用ＧＵＩプログラム２３を記憶するＧＵＩ記憶手段１４ａに記憶させた後、番組専用ＧＵＩプログラム２３によって番組専用ＧＵＩ画面に入れ替えることを利用者に判断させる動作を追加することによって、利用者のＧＵＩ画面の選択の範囲を広げることが可能となる。
【実施例３】
【００４３】
図１０は、第３の実施例に係る番組専用ＧＵＩプログラム２３を視聴中の番組に合わせて適用する動作を示したフローチャートである。この実施例３のデジタル放送受信機の構成は図２に示す構成例と同様である。この実施例３が実施例１と異なる点は、実施例１の図５に示すフローチャートのＳ２３とＳ２４の間にＳ４０、Ｓ４１、Ｓ４２のステップを追加した点にある。Ｓ２０からＳ２３までの過程は実施例１と同様である。
【００４４】
図１０のＳ２３において、ＧＵＩ制御手段１１ｂは、利用者が他のチャネルを選択したかを判定する。利用者が他のチャネルを選択したならば、Ｓ４０へ移る。利用者が他のチャネルを選択しないならば、Ｓ２５へ移って、ＧＵＩ制御手段１１ｂは、指定時間が過ぎたかを判定する。指定時間が過ぎたならば、すなわち該当する放送番組の放送時間が終了したならば、Ｓ４０へ移る。指定時間が未だ過ぎていないならば、Ｓ２３へ移る。
【００４５】
Ｓ４０において、ＧＵＩ制御手段１１ｂは、番組専用ＧＵＩプログラム２３を保存するかを判定する。利用者が、番組専用ＧＵＩ画面を気に入って他の番組においても随時その番組専用ＧＵＩ画面を使いたい場合がある。
【００４６】
図１１は、表示装置８の画面８ａに表示されたポップアップ表示の例を示す図である。この例では、表示装置８の画面８ａの左下隅に、放送番組名「お茶の間テレビオークション」が終了した後で、番組専用ＧＵＩ画面を保存するかを選択するためのポップアップ画面３４が表示される。利用者はリモコンの十字キーなどを操作して、「保存する」「保存しない」の中から選択し、リモコンの決定ボタンを押下する。「保存する」は許可であり、「保存しない」は不許可である。
【００４７】
Ｓ４０において、利用者が番組専用ＧＵＩ画面を保存することを許可したならば、Ｓ４１へ移って、番組専用ＧＵＩプログラム２３をＧＵＩ記憶手段１４ａから消去せずに保存する。このとき番組専用ＧＵＩプログラム２３に既存ＧＵＩプログラムであることを示す情報を追加し、既存ＧＵＩプログラム２４として保存する。保存した後はＳ４２へ移る。Ｓ４０において、利用者が番組専用ＧＵＩ画面を保存することを許可しないならば、Ｓ４２に移る。
【００４８】
以上のようにすることによって、利用者が複数の番組を視聴し、利用者が気に入ったＧＧＵＩ画面があれば、ＧＵＩ記憶手段１４ａに、複数の既存ＧＵＩプログラム２４が記憶される。利用者は、ＧＵＩ記憶手段１４ａに記憶された既存ＧＵＩプログラム２４を随時呼び出して使用することができる。それについては後述する。
【００４９】
Ｓ４２において、ＧＵＩ制御手段１１ｂは、利用者が今まで使用していた番組専用ＧＵＩ画面を更に使い続けるか判定する。利用者が、番組専用ＧＵＩ画面を気に入ってその後に続く別の番組においてもその番組専用ＧＵＩ画面をそのまま続けて使用したい場合がある。
【００５０】
図１２は、表示装置８の画面８ａに表示されたポップアップ表示の例を示す図である。この例では、表示装置８の画面８ａの左下隅に、放送番組名「お茶の間テレビオークション」が終了した後で、番組専用ＧＵＩ画面を使い続けるかを選択するためのポップアップ画面３５が表示される。利用者はリモコンの十字キーなどを操作して、「続ける」「続けない」の中から選択し、リモコンの決定ボタンを押下する。「続ける」は許可であり、「続けない」は不許可である。
【００５１】
Ｓ４２において、利用者が番組専用ＧＵＩ画面を更に使い続けることを許可したならば、ＧＵＩ画面を入れ替える前の元のＧＵＩ画面に戻さずに終了する。許可しないならば、Ｓ２４へ移って、ＧＵＩ画面を番組専用ＧＵＩ画面に入れ替える前の元のＧＵＩ画面に戻して終了する。
【００５２】
以上のように、デジタル放送受信機１のＧＵＩ取得手段１１ａが、通信線を介して接続されたＧＵＩ配信サーバ２２から放送番組に応じた番組専用ＧＵＩプログラム２３の情報を取得し、取得した番組専用ＧＵＩプログラム２３を記憶するＧＵＩ記憶手段１４ａに記憶させ、ＧＵＩ制御手段１１ｂが、放送番組に応じて番組専用ＧＵＩプログラム２３によって番組専用ＧＵＩ画面に入れ替えることによって、デジタル放送受信機１において視聴中の番組に応じてＧＵＩの画面を自動的に切替えることができる。
【００５３】
さらに、利用者が番組専用ＧＵＩ画面を保存したい場合に番組専用ＧＵＩプログラム２３を既存ＧＵＩプログラム２４に代えて保存することができる。また利用者が、その後に続く別の番組においてもその番組専用ＧＵＩ画面をそのまま続けて使用したい場合には、そのまま使い続けることができる。
【実施例４】
【００５４】
図１３は、第４の実施例に係る既存ＧＵＩプログラム２４を視聴中の番組に適用する動作を示したフローチャートである。この実施例４のデジタル放送受信機の構成は図２に示す構成例と同様である。この実施例４が実施例３と異なる点は、実施例３は、ＧＵＩ制御手段１１ｂが放送番組に応じて番組専用ＧＵＩプログラム２３によって番組専用ＧＵＩ画面に入れ替えることによって、視聴中の番組に応じてＧＵＩの画面を自動的に入れ替えるのに対し、実施例４は、ＧＵＩ記憶手段１４ａに記憶した１個あるは複数の既存ＧＵＩプログラム２４の中から利用者が選択した１個の既存ＧＵＩプログラム２４によるＧＵＩ画面に入れ替えるということである。
【００５５】
Ｓ５０において、ＣＰＵ１１が、利用者がＧＵＩ選択メニューを選択したと判定すると、Ｓ５１において、ＧＵＩ制御手段１１ｂは、表示画面８ａに既存ＧＵＩリストを表示する。ＧＵＩ制御手段１１ｂは、ＧＵＩ記憶手段１４ａに記憶した１個あるは複数の既存ＧＵＩプログラム２４をリスト化して表示する。Ｓ５０において、利用者がＧＵＩ選択メニューを選択しなかったと判定すると、終了ステップに移る。
【００５６】
図１４は、表示装置８の画面８ａに表示された既存ＧＵＩリストのポップアップ表示の例を示す図である。この例では、表示装置８の画面８ａのほぼ中央に、既存ＧＵＩの番号とそのＧＵＩを保存したときの番組名と放送時間が表示されたポップアップ画面３６が表示される。ＧＵＩの番号は保存の古い順番に割り当てられている。利用者はリモコンの十字キーなどを操作して、ＧＵＩリストの中から1個を選択し、リモコンの決定ボタンを押下する。どれも選択せず、元に戻るときはキャンセルを選択する。
【００５７】
Ｓ５２において、ＧＵＩ制御手段１１ｂは、選択された既存ＧＵＩプログラム２４による既存ＧＵＩ画面に入れ替える。このとき、ＧＵＩ制御手段１１ｂは、ＧＵＩ記憶手段１４ａに記憶された既存ＧＵＩプログラム２４の中のＧＵＩ画面の入れ替えを行う時刻（開始時刻）、入れ替えたＧＵＩ画面を元に戻す時刻（終了時刻）、対照チャネル等の制御ファイルは無視し、視聴中の番組に対してＧＵＩ画面を入れ替える。
【００５８】
Ｓ５３において、ＧＵＩ制御手段１１ｂは、利用者が他のチャネルを選択したかを判定する。利用者が他のチャネルを選択したならば、Ｓ５４へ移って、ＧＵＩ画面を既存ＧＵＩ画面に入れ替える前のＧＵＩ画面に戻して終了する。利用者が他のチャネルを選択しないならば、Ｓ５５へ移って、ＧＵＩ制御手段１１ｂは、番組が終了したかを判定する。番組が終了したならば、Ｓ５４へ移って、ＧＵＩ画面を既存ＧＵＩ画面に入れ替える前のＧＵＩ画面に戻して終了する。指定時間が未だ過ぎていないならば、Ｓ５３へ移る。
【００５９】
以上のように、利用者が視聴中の番組のＧＵＩ画面に対して、ＧＵＩ記憶手段１４ａに記憶した１個あるは複数の既存ＧＵＩプログラム２４の中から利用者が選択した１個の既存ＧＵＩプログラム２４によるＧＵＩ画面に入れ替えることができる。利用者が気に入ったＧＵＩ画面で他の番組を視聴することが可能となる。
【００６０】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００６１】
１  デジタル放送受信機
８  表示装置
８ａ  画面
１１  ＣＰＵ
１１ａ  ＧＵＩ取得手段
１１ｂ  ＧＵＩ制御手段
１４  フラッシュメモリ
１４ａ  ＧＵＩ記憶手段
１５  操作受信部
１６  操作部
１７  送受信部
２０  放送局
２１  インターネット
２２  ＧＵＩ配信サーバ
２３  番組専用ＧＵＩプログラム
２４  既存ＧＵＩプログラム
３０〜３６  ポップアップ画面
【図１】
2010239579.tif 000003
【図２】
2010239579.tif 000004
【図３】
2010239579.tif 000005
【図４】
2010239579.tif 000006
【図５】
2010239579.tif 000007
【図６】
2010239579.tif 000008
【図７】
2010239579.tif 000009
【図８】
2010239579.tif 000010
【図９】
2010239579.tif 000011
【図１０】
2010239579.tif 000012
【図１１】
2010239579.tif 000013
【図１２】
2010239579.tif 000014
【図１３】
2010239579.tif 000015
【図１４】
2010239579.tif 000016